(57)【特許請求の範囲】
【請求項１】
第一方向に並ぶ複数の蓄電素子と、
隣り合う蓄電素子の間に配置される少なくとも一つのスペーサと、
第一方向と直交する第二方向において前記スペーサと対向し、且つ取り付けの対象機器に対して直接又は間接的に固定される対向部材と、を備え、
前記スペーサ及び前記対向部材の少なくとも一方は、第二方向に突出する挿入部を有し、
前記スペーサ及び前記対向部材の少なくとも他方は、前記挿入部が入り込む方向に開放する開放部を画定し且つ前記挿入部が入り込む少なくとも一つの被挿入部を有し、
前記挿入部は、単一の凸部であり、
前記凸部は、第一方向を向いた伝達面を有し、
前記凸部の第一方向における外寸は、前記開放部の第一方向における開放寸法よりも小さく、
前記凸部の基端部の第一方向における両面のそれぞれは、前記伝達面を含み、
前記凸部の先端部の第一方向における両面は、前記伝達面とそれぞれ連続し且つ該凸部の基端側から先端に向かうにつれて互いに近づき、
前記被挿入部は、前記伝達面と第一方向において対向し且つ前記開放部の一部を画定する被伝達面であって、該被挿入部に入り込んだ前記凸部の前記伝達面の当接によって該伝達面から力が伝達される被伝達面を有する、蓄電装置。
【請求項２】
第一方向に並ぶ複数の蓄電素子と、
隣り合う蓄電素子の間に配置される少なくとも一つのスペーサと、
第一方向と直交する第二方向において前記スペーサと対向し、且つ取り付けの対象機器に対して直接又は間接的に固定される対向部材と、を備え、
前記スペーサ及び前記対向部材の少なくとも一方は、第二方向に突出する挿入部を有し、
前記スペーサ及び前記対向部材の少なくとも他方は、前記挿入部が入り込む方向に開放する開放部を画定し且つ前記挿入部が入り込む少なくとも一つの被挿入部を有し、
前記挿入部は、第一方向に並び且つ共通の前記被挿入部に入り込む二つの凸部を有し、
前記二つの凸部は、第一方向を向いた伝達面を有し、
前記二つの凸部の第一方向における外寸は、前記開放部の第一方向における開放寸法よりも小さく、
前記二つの凸部の基端部の第一方向において互いに離れる向きを向く外側面のそれぞれは、前記伝達面を含み、
前記二つの凸部の先端部の第一方向において互いに離れる向きを向く外側面は、前記伝達面とそれぞれ連続し且つ該凸部の基端側から先端に向かうにつれて互いに近づき、
前記被挿入部は、前記伝達面と第一方向において対向し且つ前記開放部の一部を画定する被伝達面であって、該被挿入部に入り込んだ前記二つの凸部の前記伝達面の当接によって該伝達面から力が伝達される被伝達面を有する、蓄電装置。
【請求項３】
第一方向に並ぶ複数の蓄電素子と、
隣り合う蓄電素子の間に配置される少なくとも一つのスペーサと、
第一方向と直交する第二方向において前記スペーサと対向し、且つ取り付けの対象機器に対して直接又は間接的に固定される対向部材と、を備え、
前記スペーサ及び前記対向部材の少なくとも一方は、第二方向に突出する挿入部を有し、
前記スペーサ及び前記対向部材の少なくとも他方は、前記挿入部が入り込む方向に開放する開放部を画定し且つ前記挿入部が入り込む少なくとも一つの被挿入部を有し、
前記挿入部と前記被挿入部とのそれぞれは、第一方向に対向する部位を有し、
前記挿入部の第一方向における外寸は、前記開放部の第一方向における開放寸法よりも小さく、
前記挿入部は、第一方向の異なる位置に一対設けられ、
前記被挿入部は、前記挿入部に対応して一対設けられ、
前記一対の挿入部の第一方向において互いに離れる向きを向く外側面のぞれぞれは、基端側から先端に向かうにつれて互いに近づく、蓄電装置。
【請求項４】
前記一対の挿入部の第一方向において互いに近づく向きを向く内側面のそれぞれは、第二方向に延びる伝達面であり、
前記一対の被挿入部のそれぞれは、対応する前記挿入部の前記伝達面と第一方向において対向し且つ前記開放部の一部を画定する被伝達面であって、該被挿入部に入り込んだ前記挿入部の前記伝達面の当接によって該伝達面から力が伝達される被伝達面を有する、請求項３に記載の蓄電装置。
【請求項５】
第一方向に並ぶ複数の蓄電素子と、
隣り合う蓄電素子の間に配置される少なくとも一つのスペーサと、
第一方向と直交する第二方向において前記スペーサと対向し、且つ取り付けの対象機器に対して直接又は間接的に固定される対向部材と、
第一方向において前記複数の蓄電素子を挟む一対のエンドプレートと、
前記一対のエンドプレートを連結する金属製の連結部材と、を備え、
前記対向部材は、前記連結部材と前記スペーサ及び前記蓄電素子との間に配置される絶縁材であり、且つ前記連結部材と係合し、
前記スペーサ及び前記対向部材の少なくとも一方は、第二方向に突出する挿入部を有し、
前記スペーサ及び前記対向部材の少なくとも他方は、前記挿入部が入り込む方向に開放する開放部を画定し且つ前記挿入部が入り込む少なくとも一つの被挿入部を有し、
前記挿入部と前記被挿入部とのそれぞれは、第一方向に対向する部位を有し、
前記挿入部の第一方向における外寸は、前記開放部の第一方向における開放寸法よりも小さい、蓄電装置。
【請求項６】
前記被挿入部は、第一方向及び第二方向と直交する第三方向において、該被挿入部に入り込んだ前記挿入部と対向している、請求項５に記載の蓄電装置。
【発明の詳細な説明】
【技術分野】
【０００１】
本発明は、複数の蓄電素子を備える蓄電装置に関する。
【背景技術】
【０００２】
従来から、複数の電池セルを備えた電池モジュールが知られている（特許文献１参照）。具体的に、この電池モジュールは、複数並べて積層される電池セルと、前記電池セルの間に配置され且つ隣り合う二つを組み合わせることによって前記電池セルを納めるセルホルダと、前記セルホルダを前記電池セルの積層方向にスライド移動可能に支持するガイド部材と、を備える。
【０００３】
前記電池モジュールでは、前記電池セルを納めた状態の前記セルホルダが前記電池セルの積層方向にスライド移動可能であるため、該電池モジュールに前記積層方向の加速度が生じると、該積層方向の端部に配置された電池セルに、他の電池セルのそれぞれに生じた慣性力等の前記加速度に起因する力が加わる。このため、前記電池モジュールでは、前記電池セルの積層数（前記積層方向に並ぶ電池セルの数）が大きくなると、前記端部に配置された電池セルの剛性を強化する等が必要になり、これにより、蓄電装置の大型化、蓄電装置の重量の増加等が生じる。
【先行技術文献】
【特許文献】
【０００４】
【特許文献１】特開２０１５−５３６２号公報
【発明の概要】
【発明が解決しようとする課題】
【０００５】
そこで、本発明は、第一方向に並ぶ複数の蓄電素子を備えていても、加速度が生じたときの第一方向の端部に配置された蓄電素子に加わる前記加速度に起因する力を抑えることができる蓄電装置を提供することを課題とする。
【課題を解決するための手段】
【０００６】
本発明に係る蓄電装置は、
第一方向に並ぶ複数の蓄電素子と、
隣り合う蓄電素子の間に配置される少なくとも一つのスペーサと、
第一方向と直交する第二方向において前記スペーサと対向し、且つ取り付けの対象機器に対して直接又は間接的に固定される対向部材と、を備え、
前記スペーサ及び前記対向部材の少なくとも一方は、第二方向に突出する挿入部を有し、
前記スペーサ及び前記対向部材の少なくとも他方は、前記挿入部が入り込む方向に開放する開放部を画定し且つ前記挿入部が入り込む少なくとも一つの被挿入部を有し、
前記挿入部と前記被挿入部とのそれぞれは、第一方向に対向する部位を有し、
前記挿入部の第一方向における外寸は、前記開放部の第一方向における開放寸法よりも小さい。
【０００７】
かかる構成によれば、蓄電装置に積層方向の加速度（加速度成分を含む）が生じたときに、被挿入部と、該被挿入部に入り込んでいる挿入部とが第一方向において当接する（又は当接している）ことで、挿入部又は被挿入部を有するスペーサより加速度方向側に配置された蓄電素子によって生じる力（例えば、慣性力）を、対向部材に受けさせることができ、これにより、第一方向の端部に配置された蓄電素子に加わる力（前記加速度に起因する力）を抑えることができる。
【０００８】
しかも、第一方向において、挿入部の外寸が開放部（被挿入部によって画定される開放部）の開放寸法より小さいため、蓄電装置の組み立て時において、蓄電素子の膨張、収縮等による挿入部と被挿入部との第一方向における相対位置が予定されていた相対位置（設計値等）よりずれていても、被挿入部に挿入部を入れ込むことができる。
【０００９】
前記蓄電装置では、
前記挿入部は、第一方向を向いた伝達面を有し、
前記被挿入部は、前記伝達面と第一方向において対向し且つ前記開放部の一部を画定する被伝達面であって、該被挿入部に入り込んだ前記挿入部の前記伝達面の当接によって該伝達面から力が伝達される被伝達面を有することが好ましい。
【００１０】
かかる構成によれば、蓄電装置に積層方向の加速度（加速度成分を含む）が生じたときに、挿入部の伝達面と被挿入部の被伝達面とが当接する（又は当接している）ことで、挿入部と被挿入部との接触面積が十分に確保され、これにより、挿入部又は被挿入部を有するスペーサより加速度方向側に配置された蓄電素子によって生じる力（例えば、慣性力）を、対向部材により確実に受けさせることができる。
【００１１】
また、前記蓄電装置では、
前記挿入部は、単一の凸部であり、
前記凸部の基端部の第一方向における両面のそれぞれは、前記伝達面を含み、
前記凸部の先端部の第一方向における両面は、前記伝達面とそれぞれ連続し且つ該凸部の基端側から先端に向かうにつれて互いに近づいていてもよい。
【００１２】
かかる構成によれば、該蓄電装置の組み立て時等において挿入部と被挿入部との第一方向における相対位置が設計値等の予定されていた相対位置よりずれていても、挿入部（凸部）の先端が被挿入部（開放部）に入れば、スペーサと対向部材とを第二方向に接近させることで、挿入部（凸部）の前記両面によって挿入部（凸部）が被挿入部（開放部）内へ案内される。このように、上記構成によれば、挿入部の先端形状（前記両面）によって、蓄電装置の組み立て時に挿入部と被挿入部との第一方向における相対位置のずれを修正して組み立て効率の向上を図りつつ、前記両面に連続する伝達面と、被挿入部の被伝達面とによって、蓄電装置に積層方向の加速度が生じたときに挿入部又は被挿入部を有するスペーサより加速度方向側に配置された蓄電素子によって生じる力を対向部材に受けさせる接触面積を確保することができる。
【００１３】
また、前記蓄電装置では、
前記挿入部は、第一方向に並び且つ共通の前記被挿入部に入り込む二つの凸部を有し、
前記二つの凸部の基端部の第一方向において互いに離れる向きを向く外側面のそれぞれは、前記伝達面を含み、
前記二つの凸部の先端部の第一方向において互いに離れる向きを向く外側面は、前記伝達面とそれぞれ連続し且つ該凸部の基端側から先端に向かうにつれて互いに近づいていてもよい。
【００１４】
かかる構成によれば、該蓄電装置の組み立て時等において挿入部と被挿入部との第一方向における相対位置が予定されていた相対位置よりずれていても、各凸部の先端が被挿入部（開放部）に入れば、スペーサと対向部材とを第二方向に接近させることで、何れか一方の凸部の前記外側面によって挿入部（二つの凸部）が被挿入部（開放部）内へ案内される。このように、上記構成によれば、挿入部の先端形状（二つの凸部の各外側面）によって、蓄電装置の組み立て時に挿入部と被挿入部との第一方向における相対位置のずれを修正して組み立て効率の向上を図りつつ、前記両面に連続する伝達面と、被挿入部の被伝達面とによって、蓄電装置に積層方向の加速度が生じたときに挿入部又は被挿入部を有するスペーサより加速度方向側に配置された蓄電素子によって生じる力を対向部材に受けさせる接触面積を確保することができる。
【００１５】
また、前記蓄電装置では、
前記挿入部は、第一方向の異なる位置に一対設けられ、
前記被挿入部は、前記挿入部に対応して一対設けられ、
前記一対の挿入部の第一方向において互いに離れる向きを向く外側面のぞれぞれは、基端側から先端に向かうにつれて互いに近づいてもよい。
【００１６】
かかる構成によれば、各挿入部の先端形状（各挿入部の外側面）によって、蓄電装置の組み立て時において、各挿入部と、該挿入部に対応する被挿入部との第一方向における相対位置のずれが修正されため、組み立て効率を向上させることができる。即ち、上記構成によれば、蓄電装置の組み立て時等において一対の挿入部とこれら一対の挿入部に対応する一対の被挿入部との第一方向における相対位置が予定されていた相対位置よりずれていても、各挿入部の先端が被挿入部（開放部）に入れば、スペーサと対向部材とを第二方向に接近させることで、何れか一方の挿入部の外側面によって各挿入部が対応する被挿入部内へ入り込む。
【００１７】
この場合、前記蓄電装置において、
前記一対の挿入部の第一方向において互いに近づく向きを向く内側面のそれぞれは、第二方向に延びる伝達面であり、
前記一対の被挿入部のそれぞれは、対応する前記挿入部の前記伝達面と第一方向において対向し且つ前記開放部の一部を画定する被伝達面であって、該被挿入部に入り込んだ前記挿入部の前記伝達面の当接によって該伝達面から力が伝達される被伝達面を有することが好ましい。
【００１８】
かかる構成によれば、蓄電装置に積層方向の加速度（加速度成分を含む）が生じたときに、一対の挿入部のうちのいずれか一方の挿入部の伝達面と該挿入部と対応する被挿入部の被伝達面とが当接する（又は当接している）ことで、該挿入部と該被挿入部との接触面積が十分に確保され、これにより、該挿入部又は該被挿入部を有するスペーサより加速度方向側に配置された蓄電素子によって生じる力（例えば、慣性力）を、対向部材により確実に受けさせることができる。
【００１９】
前記蓄電装置では、
第一方向において前記複数の蓄電素子を挟む一対のエンドプレートと、
前記一対のエンドプレートを連結する金属製の連結部材と、を備え、
前記対向部材は、前記連結部材と前記スペーサ及び前記蓄電素子との間に配置される絶縁材であり、且つ前記連結部材と係合してもよい。
【００２０】
かかる構成によれば、対向部材が受けた力（具体的には、蓄電装置に第一方向の加速度が生じたときに挿入部又は被挿入部を有するスペーサより加速度方向側に配置された蓄電素子によって生じる力（例えば、慣性力））を、該対向部材が係合している金属製の連結部材に受けさせることができるため、前記力が第一方向の端部に配置された蓄電素子に加わることをより確実に抑えることができる。
【００２１】
この場合、
前記被挿入部は、第一方向及び第二方向と直交する第三方向において、該被挿入部に入り込んだ前記挿入部と対向していてもよい。
【００２２】
かかる構成によれば、第三方向が垂直方向に沿う姿勢で蓄電装置が配置されたときに、第一方向に並ぶ複数の蓄電素子のうちの途中位置に配置され、且つ挿入部又は被挿入部を有するスペーサと隣り合う蓄電素子が、対向部材を介して金属製の連結部材によって支持されるため、エンドプレートによって挟まれた蓄電素子の列（第一方向に並ぶ複数の蓄電素子）の途中位置の下方への垂れを抑えることができる。
【発明の効果】
【００２３】
以上より、本発明によれば、第一方向に並ぶ複数の蓄電素子を備えていても、加速度が生じたときの第一方向の端部に配置された蓄電素子に加わる前記加速度に起因する力を抑えることができる蓄電装置を提供することができる。
【図面の簡単な説明】
【００２４】
【図１】図１は、本実施形態に係る蓄電装置の斜視図である。
【図２】図２は、前記蓄電装置の分解斜視図である。
【図３】図３は、前記蓄電装置に配置される蓄電素子の斜視図である。
【図４】図４は、前記蓄電素子の分解斜視図である。
【図５】図５は、前記蓄電装置における内部スペーサを説明するための斜視図である。
【図６】図６は、前記内部スペーサの第一規制部を説明するための拡大斜視図である。
【図７】図７は、前記内部スペーサの第二規制部を説明するための拡大斜視図である。
【図８】図８は、前記蓄電装置における外部スペーサを説明するための斜視図である。
【図９】図９は、インシュレータの第一絶縁部及びその周辺の部材の拡大断面図である。
【図１０】図１０は、一対の挿入部と、該一対の挿入部に対応する被挿入部を説明するための模式図である。
【図１１】図１１は、被挿入部を説明するための拡大断面図である。
【図１２】図１２は、インシュレータと内部スペーサとのＸ軸方向の相対位置のずれを解消する方法を説明するための模式図であって、被挿入部に挿入部を挿入する前の状態を示す模式図である。
【図１３】図１３は、インシュレータと内部スペーサとのＸ軸方向の相対位置のずれを解消する方法を説明するための模式図であって、一方の被挿入部に、一方の挿入部が当接した状態を示す模式図である。
【図１４】図１４は、インシュレータと内部スペーサとのＸ軸方向の相対位置のずれを解消する方法を説明するための模式図であって、一対の被挿入部に、該一対の被挿入部に対応する一対の挿入部が入り込んだ状態の模式図である。
【図１５】図１５は、前記蓄電装置にＸ軸方向の加速度が生じたときの一対の被挿入部と、該一対の被挿入部に対応する一対の挿入部と、を示す模式図である。
【図１６】図１６は、他実施形態に係る挿入部と、該挿入部が入り込む被挿入部と、を示す模式図である。
【図１７】図１７は、他実施形態に係る挿入部と、該挿入部が入り込む被挿入部と、を示す模式図である。
【図１８】図１８は、他実施形態に係る被挿入部の内周面を説明するための図である。
【発明を実施するための形態】
【００２５】
以下、本発明の一実施形態について、図１〜図１４を参照しつつ説明する。尚、本実施形態の各構成部材（各構成要素）の名称は、本実施形態におけるものであり、背景技術における各構成部材（各構成要素）の名称と異なる場合がある。
【００２６】
蓄電装置は、図１及び図２に示すように、所定の方向（第一方向）に並ぶ複数の蓄電素子１０と、隣り合う蓄電素子１０の間に配置される内部スペーサ（スペーサ）２Ａと、前記所定の方向と直交する方向（第二方向）において内部スペーサ２Ａと対向し、且つ取り付け対象機器に対して直接又は間接に固定されるインシュレータ（対向部材）４と、を備える。また、蓄電装置１は、前記所定の方向における複数の蓄電素子１０の両側に配置される一対の外部スペーサ２Ｂと、複数の蓄電素子１０、複数の内部スペーサ２Ａ、一対の外部スペーサ２Ｂ、及びインシュレータ４をひとまとめに保持する保持部材３と、を備える。この保持部材３は、導電性部材により形成されている。このため、インシュレータ４は、蓄電素子１０と保持部材３との絶縁を図るために、絶縁性を有する絶縁材によって形成されている。また、蓄電装置１は、隣り合う二つの蓄電素子１０（詳しくは、隣り合う二つの蓄電素子１０の外部端子１３）同士を電気的に接続するバスバ５等も備える。
【００２７】
蓄電素子１０は、図３及び図４にも示すように、正極及び負極を含む電極体１１と、電極体１１を収容するケース１２と、ケース１２の外面上に配置された一対の外部端子１３とを備える。また、蓄電素子１０は、電極体１１と外部端子１３とを導通させる集電体１４、電極体１１とケース１２との間に配置される絶縁部材１５等も有する。
【００２８】
ケース１２は、開口を有するケース本体１２０と、ケース本体１２０の開口を閉じる蓋板１２１であって、外面上に一対の外部端子１３が配置される蓋板１２１とを有する。
【００２９】
ケース本体１２０は、矩形板状の閉塞部１２３と、閉塞部１２３を取り囲むように、該閉塞部１２３の周縁に接続された扁平な角筒状の胴部１２４と、を有する。
【００３０】
胴部１２４は、間隔をあけて互いに対向する一対の第一壁１２５と、一対の第一壁１２５を挟んで互いに対向する一対の第二壁１２６とを備える。
【００３１】
第一壁１２５及び第二壁１２６のそれぞれは、矩形状に形成される。第一壁１２５及び第二壁１２６は、互いの端縁を突き合わせた状態で配置される。そして、隣り合う第一壁１２５の端縁及び第二壁１２６の端縁同士は、全長に亘って接続される。これにより、胴部１２４は、角筒状に形成される。胴部１２４の一端は、閉塞部１２３によって閉塞され、他端は、開口する。この開口は、蓋板１２１によって閉塞される。
【００３２】
本実施形態において、第一壁１２５のＹ軸方向の長さは、第二壁１２６のＸ軸方向の長さより大きい。このため、胴部１２４は、扁平角筒状に形成される。
【００３３】
本実施形態の蓄電装置１では、複数の蓄電素子１０のそれぞれが、ケース１２の第一壁１２５を前記所定の方向に向けて整列している。
【００３４】
尚、以下の説明において、便宜上、蓄電素子１０の整列する方向（第一方向）を直交座標系におけるＸ軸方向とする。また、蓄電素子１０の整列する方向（Ｘ軸方向）と直交する二軸方向のうちの一つの方向（インシュレータ４と、蓄電素子１０及び内部スペーサ２Ａとが対向する方向：第二方向）を直交座標系におけるＹ軸方向とし、残りの一つの方向（第三方向）を直交座標系におけるＺ軸方向とする。
【００３５】
蓄電装置１は、隣り合う蓄電素子１０間に配置される内部スペーサ２Ａと、複数の蓄電素子１０のうちの最も端にある蓄電素子１０に隣り合う外部スペーサ２Ｂと、の二種類のスペーサを有する。本実施形態に係る蓄電装置１は、上述のように、複数の蓄電素子１０を備え、内部スペーサ２Ａは、隣り合う蓄電素子１０の間のそれぞれに配置されている。即ち、本実施形態の蓄電装置１は、複数の内部スペーサ２Ａを備える。また、本実施形態の蓄電装置１は、Ｘ軸方向において複数の蓄電素子１０の両側に配置される一対の外部スペーサ２Ｂを備える。
【００３６】
内部スペーサ２Ａは、図２、図５〜図７、図９及び図１０に示すように、蓄電素子１０（ケース本体１２０の第一壁１２５）に隣り合うベース２０Ａと、該ベース２０Ａと隣り合う二つの蓄電素子１０のＹ−Ｚ面（Ｙ軸方向とＺ軸方向とを含む面）方向の位置ずれ（相対位置のずれ）を規制（防止）する規制部２１Ａとを有する。また、内部スペーサ２Ａは、Ｙ軸方向に突出する挿入部２２Ａを有する。
【００３７】
ベース２０Ａは、Ｙ―Ｚ面方向に広がり且つ二つの蓄電素子１０に挟み込まれる部位である。このベース２０Ａは、隣り合う二つの蓄電素子１０のうちの一方の蓄電素子１０と対向する第一面と、該第一面とは反対側の第二面であって、二つの蓄電素子１０のうちの他方の蓄電素子１０と対向する第二面とを有する。
【００３８】
ベース２０Ａは、蓄電素子１０の蓋板１２１に対応する位置の第一端と、該第一端とは反対側の第二端であって、蓄電素子１０の閉塞部１２３に対応する位置の第二端とを有する。また、ベース２０Ａは、蓄電素子１０のＹ軸方向における一方の第二壁１２６に対応する位置の第三端と、該第三端とは反対側の第四端であって、蓄電素子１０のＹ軸方向における他方の第二壁１２６に対応する位置の第四端とを有する。第一端及び第二端は、Ｙ軸方向にそれぞれ延び、第三端及び第四端は、Ｚ軸方向にそれぞれ延びる。
【００３９】
ベース２０Ａは、該ベース２０Ａの第一端と第三端とが接続される部分である第一角部と、第一端と第四端とが接続される部分である第二角部とを有する。また、ベース２０Ａは、第二端と第三端とが接続される部分である第三角部と、第二端と第四端とのそれぞれが接続される部分である第四角部とを有する。
【００４０】
以上のベース２０Ａは、Ｘ軸方向視において略矩形状であり、隣り合う蓄電素子１０と略同等の大きさである。ベース２０Ａは、隣り合う蓄電素子１０との間に、流体（冷却用の流体）を通過させるための通風路を形成する。具体的には、以下の通りである。
【００４１】
ベース２０ＡのＸ−Ｚ面（Ｘ軸方向とＺ軸方向とを含む面）方向の断面形状は、矩形波形状である。より具体的に説明する。ベース２０Ａは、隣り合う二つの蓄電素子１０のうちの一方の蓄電素子１０のみに当接する第一当接部２００Ａと、隣り合う二つの蓄電素子１０のうちの他方の蓄電素子１０のみに当接する第二当接部２０１Ａと、第一当接部２００Ａと第二当接部２０１Ａとを接続する連接部２０２Ａと、を有する。
【００４２】
第一当接部２００Ａは、Ｙ−Ｚ方向に広がり且つＹ軸方向に長尺な矩形板状の部位である。第二当接部２０１Ａは、第一当接部２００ＡとＸ軸方向にずれた位置においてＹ−Ｚ方向に広がり且つＹ軸方向に長尺な矩形板状の部位である。ベース２０Ａは、複数の第一当接部２００Ａと、複数の第二当接部２０１Ａとを有する。そして、各第一当接部２００Ａと各第二当接部２０１Ａとは、Ｚ軸方向において交互に配置される。各連接部２０２Ａは、Ｘ軸方向に延び、且つ、第一当接部２００ＡのＺ軸方向の端部と、該端部とＸ軸方向において対向する第二当接部２０１ＡのＺ軸方向の端部とを接続する。
【００４３】
規制部２１Ａは、内部スペーサ２Ａに隣り合う二つの蓄電素子１０のＹ−Ｚ面に沿った相対移動を規制すべく、ベース２０Ａから、該ベース２０Ａの第一面と隣り合う蓄電素子１０と、該ベース２０Ａの第二面と隣り合う蓄電素子１０とに向かって延びる。
【００４４】
より具体的に説明する。規制部２１Ａは、ベース２０Ａの周縁における各角部を含む位置に形成される。規制部２１Ａは、ベース２０Ａの第一角部に形成される第一規制部２１１Ａと、ベース２０Ａの第二角部に形成される第二規制部２１２Ａと、ベース２０Ａの第三角部から第四角部にかけて形成される第三規制部２１３Ａと、を有する。
【００４５】
第一規制部２１１Ａは、ベース２０Ａの第一面に隣り合う蓄電素子１０と、ベース２０Ａの第二面に隣り合う蓄電素子１０とに向かって延び、ベース２０Ａの両側に配置される蓄電素子１０のそれぞれの蓋板１２１と胴部１２４の一方の第二壁１２６とに当接する。具体的に、第一規制部２１１Ａは、ベース２０ＡからＸ軸方向の両側に向けて蓋板１２１と当接するように延びる第一部位２１１１Ａと、ベース２０ＡからＸ軸方向の両側に向けて前記一方の第二壁１２６と当接するように延びる第二部位２１１２Ａと、を有する（図６参照）。本実施形態の第一部位２１１１Ａ及び第二部位２１１２Ａのそれぞれは、板状である。これにより、第一規制部２１１ＡにおけるＹ−Ｚ面方向の断面形状は、Ｌ字状となる。
【００４６】
第二規制部２１２Ａは、ベース２０Ａの第一面に隣り合う蓄電素子１０と、ベース２０Ａの第二面に隣り合う蓄電素子１０とに向かって延び、ベース２０Ａの両側に配置される蓄電素子１０のそれぞれの蓋板１２１と胴部１２４の他方の第二壁１２６とに当接する。具体的に、第二規制部２１２Ａは、ベース２０ＡからＸ軸方向の両側に向けて蓋板１２１と当接するように延びる第一部位２１２１Ａと、ベース２０ＡからＸ軸方向の両側に向けて前記他方の第二壁１２６と当接するように延びる第二部位２１２２Ａと、を有する（図７参照）。本実施形態の第一部位２１２１Ａ及び第二部位２１２２Ａのそれぞれは、板状である。これにより、第二規制部２１２ＡにおけるＹ−Ｚ平面方向の断面形状は、第一規制部２１１Ａと同様に、Ｌ字状となる。
【００４７】
第三規制部２１３Ａは、ベース２０Ａの第一面に隣り合う蓄電素子１０とベース２０Ａの第二面に隣り合う蓄電素子１０とに向かって延び、ベース２０Ａの両側に配置される蓄電素子１０の閉塞部１２３と胴部１２４の各第二壁１２６とにそれぞれ当接する。即ち、第三規制部２１３Ａは、ベース２０Ａの両側に配置される蓄電素子１０の閉塞部１２３側の端部に沿って、一方の第二壁１２６から閉塞部１２３を経て他方の第二壁１２６まで連続して延びている。
【００４８】
挿入部２２Ａは、インシュレータ４の一部に入り込む。この挿入部２２Ａは、第一規制部２１１Ａ及び第二規制部２１２Ａ（詳しくは、第二部位２１１２Ａ、２１２２Ａ）のそれぞれからＹ軸方向の外側（蓄電素子１０と反対側）に向けて延びる。本実施形態の挿入部２２Ａは、一つの第二部位２１１２Ａ、２１２２Ａにおいて、Ｘ軸方向の異なる位置に一対設けられている。これら一対の挿入部２２ＡのＸ軸方向において互いに離れる向きを向く外側面２２０Ａのそれぞれは、基端側（第二部位２１１２Ａ、２１２２Ａ側）から先端に向かうにつれて互いに近づく。一方、一対の挿入部２２ＡのＸ軸方向において互いに近づく向きを向く内側面２２１Ａのそれぞれは、Ｙ軸方向に延びる。詳しくは、以下の通りである。尚、以下では、Ｘ軸方向の一方側（図６及び図７の前方側）の挿入部２２Ａを第一挿入部２３Ａ、他方側（図６及び図７の後方側）の挿入部２２Ａを第二挿入部２４Ａ、と称するときもある。
【００４９】
一対の挿入部２２Ａ（第一挿入部２３Ａ及び第二挿入部２４Ａ）のそれぞれは、共通の（一つの）第二部位２１１２Ａ、２１２２Ａにおいて互いにＸ軸方向に異なり且つＺ軸方向に異なる位置に配置されている。各挿入部２２Ａは、Ｙ軸方向を中心軸とする円柱の先端部を、Ｙ軸方向に対して傾斜し且つＸ軸方向を向いた傾斜面となるように切り欠いた形状を有する。この傾斜面が外側面２２０Ａである。一方、Ｘ軸方向において外側面２２０Ａと反対側の面（内側面）２２１Ａは、被挿入部４５に入り込んだ状態で該被挿入部４５と当接することにより、内部スペーサ２Ａにおいて生じたＸ軸方向の力（前記力のＸ軸方向の成分を含む）及び隣り合う蓄電素子１０等から内部スペーサ２Ａに加わるＸ方向の力（前記力のＸ軸方向の成分を含む）を、インシュレータ４に伝達する。即ち、本実施形態の内側面２２１Ａは、伝達面を構成する。
【００５０】
外部スペーサ２Ｂは、図８に示すように、蓄電素子１０（ケース本体１２０の第一壁１２５）に対向する第一面、及び該第一面とは反対側の第二面を有するベース２０Ｂと、該ベース２０Ｂと隣り合う蓄電素子１０のＹ−Ｚ面方向の位置ずれを規制する規制部２１Ｂとを有する。
【００５１】
また、本実施形態のベース２０Ｂは、保持部材３の終端部材３０と対向する。即ち、本実施形態の外部スペーサ２Ｂは、蓄電素子１０と終端部材３０との間に配置される。
【００５２】
外部スペーサ２Ｂは、ベース２０Ｂの第二面から終端部材３０に向けて突出し、且つ終端部材３０に当接する第一突出部２４Ｂを有する。また、外部スペーサ２Ｂは、ベース２０Ｂの第一面から蓄電素子１０に向けて突出し、且つ該蓄電素子１０に当接する第二突出部２０１Ｂを有する。
【００５３】
ベース２０Ｂは、Ｙ−Ｚ面方向に広がった板状に形成される。ベース２０Ｂは、蓄電素子１０の蓋板１２１に対応する位置に配置される第一端と、該第一端とは反対側の第二端であって、蓄電素子１０の閉塞部１２３に対応する位置に配置される第二端とを有する。また、ベース２０Ｂは、蓄電素子１０の一方の第二壁１２６に対応する位置に配置される第三端と、該第三端とは反対側の第四端であって、蓄電素子１０の他方の第二壁１２６に対応する位置に配置される第四端とを有する。
【００５４】
ベース２０Ｂは、第一端と第三端とが接続される部分である第一角部と、第一端と第四端とが接続される部分である第二角部とを有する。また、ベース２０Ｂは、第二端と第三端とが接続される部分である第三角部と、第二端と第四端とのそれぞれが接続される部分である第四角部とを有する。
【００５５】
尚、ベース２０Ｂの第一端及び第二端は、Ｙ軸方向にそれぞれ延び、第三端及び第四端は、Ｚ軸方向にそれぞれ延びる。これにより、ベース２０Ｂは、Ｘ軸方向視において、略矩形状である。また、ベース２０Ｂは、蓄電素子１０と略同等の大きさである。
【００５６】
ベース２０Ｂの第一面には、該ベース２０Ｂの第一面と蓄電素子１０との間に流体を通過させるための通風路が形成される。詳しくは、以下の通りである。
【００５７】
ベース２０Ｂは、上述のように、当該ベース２０Ｂの第一面から該ベース２０Ｂと隣り合う蓄電素子１０のケース１２（ケース本体１２０の第一壁１２５）に向かって延びる第二突出部２０１Ｂを有する。
【００５８】
第二突出部２０１Ｂは、Ｙ軸方向に延びる凸条である。本実施形態のベース２０Ｂは、複数の第二突出部２０１Ｂを有する。そして、複数の第二突出部２０１Ｂのそれぞれは、Ｚ軸方向に間隔をあけて配置される。これにより、ベース２０Ｂと、該ベース２０Ｂと隣り合う蓄電素子１０との間には、上述の通風路（採番しない）が形成される。
【００５９】
規制部２１Ｂは、ベース２０Ｂと、該ベース２０Ｂの第一面と隣り合う蓄電素子１０のＹ−Ｚ面方向の相対移動を規制すべく、前記隣り合う蓄電素子１０に向かって延びる。
【００６０】
より具体的に、規制部２１Ｂは、第一角部に形成される第一規制部２１１Ｂと、第二角部に形成される第二規制部２１２Ｂと、ベース２０Ｂの第三角部から第四角部にかけて形成される第三規制部２１３Ｂと、を有する。
【００６１】
第一規制部２１１Ｂ及び第二規制部２１２Ｂは、ベース２０Ｂの第一面と隣り合う蓄電素子１０に向かってそれぞれ延びる。第一規制部２１１Ｂは、ベース２０Ｂの第一面と隣り合う蓄電素子１０の蓋板１２１と胴部１２４の一方の第二壁１２６とに当接する。そして、第二規制部２１２Ｂは、ベース２０Ｂの第一面と隣り合う蓄電素子１０の蓋板１２１と胴部１２４の他方の第二壁１２６とに当接する。
【００６２】
第三規制部２１３Ｂは、ベース２０Ｂと隣り合う蓄電素子１０に向かって延びる。第三規制部２１３Ｂは、ベース２０Ｂの隣に配置される蓄電素子１０の閉塞部１２３と、胴部１２４の各第二壁１２６とに当接する。即ち、第三規制部２１３Ｂは、内部スペーサ２Ａの第三規制部２１３Ａと同様に、ベース２０Ｂの隣に配置される蓄電素子１０の閉塞部１２３側の端部に沿って、一方の第二壁１２６から閉塞部１２３を経て他方の第二壁１２６まで連続して延びている。
【００６３】
上述のように、第一突出部２４Ｂは、ベース２０Ｂから終端部材３０に向けて突出し、終端部材３０に当接している。これにより、蓄電装置１では、外部スペーサ２Ｂと、終端部材３０との間に隙間が形成されている。
【００６４】
以上の外部スペーサ２Ｂは、蓄電素子１０を介して該内部スペーサ２Ａと隣り合う。
【００６５】
保持部材３は、金属製である。保持部材３は、図１及び図２に示すように、Ｘ軸方向において複数の蓄電素子１０を挟む一対の終端部材３０と、該一対の終端部材３０を連結する一対のフレーム（連結部材）３１とを備える。本実施形態の保持部材３は、蓄電装置１が電池パック（複数の蓄電装置１を備える電源装置）等の取り付けの対象機器に配置されるときに、該対象機器に対して固定される部位である。
【００６６】
一対の終端部材３０のそれぞれは、外部スペーサ２Ｂと対向する第一面と、該第一面とは反対側の第二面とを有する。一対の終端部材３０のそれぞれは、外部スペーサ２Ｂのベース２０Ｂから延びる第一突出部２４Ｂに当接する圧接部３００を有する。
【００６７】
終端部材３０は、蓄電素子１０の蓋板１２１と対応する位置に配置される第一端と、該第一端とは反対側の第二端であって、蓄電素子１０の閉塞部１２３と対応する位置に配置される第二端とを有する。また、終端部材３０は、蓄電素子１０の一方の第二壁１２６と対応する位置に配置される第三端と、該第三端とは反対側の第四端であって、蓄電素子１０の他方の第二壁１２６と対応する位置に配置される第四端とを有する。
【００６８】
これに伴い、終端部材３０は、第一端と第三端とが接続される部分である第一角部と、第一端と第四端とが接続される部分である第二角部とを有する。また、終端部材３０は、第二端と第三端とが接続される部分である第三角部と、第二端と第四端とのそれぞれが接続される部分である第四角部とを有する。
【００６９】
各フレーム３１は、一対の終端部材３０を連結するように延びる第一接続部３１０と、第一接続部３１０とＺ軸方向の異なる位置において一対の終端部材３０を連結するように延びる第二接続部３１１とを有する。第一接続部３１０は、Ｘ軸方向に延び且つＺ軸方向において蓄電素子１０の蓋板１２１と対応する位置に配置される。第二接続部３１１は、Ｘ軸方向に延び且つＺ軸方向において蓄電素子１０の閉塞部１２３と対応する位置に配置される。
【００７０】
また、フレーム３１は、Ｚ軸方向に延び且つ第一接続部３１０と第二接続部３１１との端部同士を接続する一対の支持部３１２を有する。本実施形態のフレーム３１は、Ｚ軸方向に延び、且つ第一接続部３１０と第二接続部３１１との中間部位同士を接続する補強部３１３も有する。
【００７１】
以上のように、本実施形態に係るフレーム３１は、第一接続部３１０と第二接続部３１１との端部同士を支持部３１２が接続することによって枠体状に形成されている。このフレーム３１は、蓄電素子１０とＹ軸方向の一方側において隣り合う位置と、他方側において隣り合う位置とにそれぞれ配置される。
【００７２】
インシュレータ４は、Ｘ軸方向に並ぶ複数の蓄電素子１０及び複数の内部スペーサ２Ａとフレーム３１（保持部材３）との間に配置される。このインシュレータ４は、フレーム３１に沿った溝が形成され、該溝にフレーム３１が嵌め込まれることで該フレーム３１と係合している（図９参照）。そして、インシュレータ４は、フレーム３１を含む保持部材３が取り付けの対象機器に固定されることによって、該対象機器に対して固定される。即ち、インシュレータ４は、取り付けの対象機器に対して間接に（具体的には、保持部材３を介して）固定される。
【００７３】
具体的に、インシュレータ４は、Ｘ軸方向に延び且つ第一接続部３１０と蓄電素子１０及び内部スペーサ２Ａとの間に配置される第一絶縁部４１と、Ｘ軸方向に延び且つ第二接続部３１１と蓄電素子１０及び内部スペーサ２Ａとの間に配置される第二絶縁部４２とを有する。また、インシュレータ４は、Ｚ軸方向に延び且つ第一絶縁部４１と第二絶縁部４２とを接続する一対の第三絶縁部４３を有する。この一対の第三絶縁部４３のそれぞれは、フレーム３１の支持部３１２と、蓄電素子１０及び外部スペーサ２Ｂの少なくとも一方との間に配置される。さらに、インシュレータ４は、Ｚ軸方向に延び且つ第一絶縁部４１と第二絶縁部４２との中間部位同士を接続する第四絶縁部４４を有する。この第四絶縁部４４は、フレーム３１の補強部３１３と蓄電素子１０及び内部スペーサ２Ａの少なくとも一方との間に配置される。
【００７４】
第一絶縁部４１は、内部スペーサ２Ａの一部（本実施形態の例では、挿入部２２Ａ）が入り込む（挿入される）被挿入部４５を有する。
【００７５】
被挿入部４５は、図９〜図１１に示すように、挿入部２２Ａが入り込む方向に開放する開放部４５０を画定し（図１１参照）且つ挿入部２２Ａが入り込む。本実施形態の被挿入部４５は、第一絶縁部４１における第二部位２１１２Ａ、２１２２Ａを向いた部位（面）に形成されたＹ軸方向に凹む凹部であり、開放部４５０は、前記凹部（被挿入部４５）の内面（以下、「凹部内面」と称する。）４５１によって画定されている。本実施形態の被挿入部４５は、Ｙ軸方向視においてＸ軸方向に長い長円形状（いわゆるレーストラック型）の内周面４５２を有する凹部である。そして、挿入部２２Ａの外寸Ｓ１が、被挿入部４５のＸ軸方向の内寸（即ち、開放部４５０のＸ軸方向における開放寸法：内周面４５２の長径方向の内寸）Ｓ２よりも小さい。即ち、Ｘ軸方向において、内周面４５２の一方側の端部（端面）、及び他方側の端部（端面）の少なくとも一方と、挿入部２２Ａとの間には、隙間が形成されている。この被挿入部４５（詳しくは、内周面４５２）は、Ｚ軸方向において、該被挿入部４５に入り込んだ挿入部２２Ａと対向している。尚、本実施形態の挿入部２２Ａの外寸Ｓ１は、外側面２２０Ａより基部側の円柱状の部位における外寸であり、被挿入部４５の内寸Ｓ２は、内周面４５２の長径方向の内寸である。
【００７６】
被挿入部４５は、一対の挿入部２２Ａのそれぞれに対応して一対設けられる。以下では、第一挿入部２３Ａが挿入される被挿入部４５を第一被挿入部４５Ａ、第二挿入部２４Ａが挿入される被挿入部４５を第二被挿入部４５Ｂ、と称するときもある。
【００７７】
各被挿入部４５は、対応する挿入部（詳しくは、該被挿入部４５に挿入されている挿入部）２２ＡとＸ軸方向に対向する部位を有する。この部位は、内周面４５２に含まれる被伝達面４５３である。具体的に、被伝達面４５３は、挿入部２２Ａの内側面（伝達面）２２１ＡとＸ軸方向において対向し且つ開放部４５０の一部を画定する。本実施形態の被伝達面４５３は、挿入部２２Ａの内側面２２１Ａと平行な面である。この被伝達面４５３は、被挿入部４５に入り込んだ挿入部２２Ａの内側面２２１Ａの当接によって該内側面２２１Ａから力が伝達される部位（面）である。
【００７８】
被伝達面４５３と内側面（伝達面）２２１Ａとは、Ｘ軸方向において所定の間隔（上述の隙間）を開けて対向している（図１０参照）。この所定の間隔は、最も大きい場合で、Ｓ２とＳ１との差となる。そして、この所定の間隔は、蓄電装置１にＸ軸方向の加速度（Ｘ軸方向の加速度成分を含む）が生じたときに、蓄電素子１０及び内部スペーサ２ＡのＸ軸方向の移動（図１５参照）が許容される範囲内に設定されていることが好ましい。即ち、前記移動が許容される範囲は、前記移動によってＸ軸方向の端部に配置された蓄電素子１０が損傷しない範囲に設定されていることが好ましい。前記Ｓ２とＳ１との差は、２ｍｍ以下が好ましい。また、前記Ｓ２とＳ１との差は、０．１ｍｍ以上が好ましく、０．５ｍｍ以上がさらに好ましい。
【００７９】
以上の蓄電装置１によれば、蓄電装置１にＸ軸方向の加速度（加速度成分を含む）が生じたときに、被挿入部４５と、該被挿入部４５に入り込んでいる挿入部２２ＡとがＸ軸方向において当接する（又は当接している）ことで、被挿入部４５を有する内部スペーサ２Ａより加速度方向側に配置された蓄電素子１０によって生じる力（例えば、慣性力）を、インシュレータ４に受けさせることができる。これにより、Ｘ軸方向の端部に配置された蓄電素子１０に加わる力（前記加速度に起因する力）を抑えることができる。
【００８０】
しかも、Ｘ軸方向において、挿入部２２Ａの外寸が開放部（被挿入部４５の内面４５１によって画定される開放部）４５０の開放寸法より小さい。このため、蓄電装置１の組み立て時において、蓄電素子１０の膨張、収縮等による挿入部２２Ａと被挿入部４５とのＸ軸方向における相対位置が予定されていた相対位置（設計値等）よりずれていても、被挿入部４５に挿入部２２Ａを入れ込むことができる。
【００８１】
本実施形態の蓄電装置１では、一対の挿入部２２ＡのＸ軸方向において互いに離れる向きを向く外側面２２０Ａのぞれぞれは、基端側から先端に向かうにつれて互いに近づいている。このような挿入部２２Ａの先端形状（各挿入部２２Ａの外側面２２０Ａ）によれば、図１２〜図１４に示すように、蓄電装置１の組み立て時において、各挿入部２２Ａと、該挿入部２２Ａに対応する被挿入部４５とのＸ軸方向における相対位置のずれが修正される。これにより、組み立て効率を向上させることができる。即ち、蓄電装置１の組み立て時等において一対の挿入部２２Ａとこれら一対の挿入部２２Ａに対応する一対の被挿入部４５とのＸ軸方向における相対位置が予定されていた相対位置よりずれていても（図１２参照）、各挿入部２２Ａの先端が被挿入部４５（開放部４５０）に入れば（図１３参照）、挿入部２２Ａの外側面２２０Ａが被挿入部４５の周縁と当接した状態で内部スペーサ２Ａとインシュレータ４とをＹ軸方向に接近させることで、内部スペーサ２Ａとインシュレータ４とがＸ軸方向において相対移動する（前記ずれを解消する方向に相対移動する：図１３の矢印α参照）。このように、挿入部２２Ａの外側面２２０Ａによって前記ずれが解消し、その結果、各挿入部２２Ａが対応する被挿入部４５内へ入り込む（図１４参照）。
尚、図１２〜図１４は、内部スペーサ２Ａが第一挿入部２３Ａ側にずれた状態から、第一挿入部２３Ａの外側面２２０Ａが第一被挿入部４５Ａの縁部に当接することで前記ずれが解消することを示しているが、内部スペーサ２Ａは、反対側にずれていてもよい。即ち、内部スペーサ２Ａが反対側（第二挿入部２４Ａ側）にずれていても第二挿入部２４Ａの外側面２２０Ａが第二被挿入部４５Ｂの縁に当接することで前記ずれを解消することができる。
【００８２】
また、本実施形態の蓄電装置１では、一対の挿入部２２ＡのＸ軸方向における互いに近づく向きを向く内側面２２１Ａのそれぞれが、Ｙ軸方向に延びる伝達面であり、一対の被挿入部４５のそれぞれが、対応する挿入部２２Ａの内側面２２１ＡとＸ軸方向において対向し且つ開放部４５０の一部を画定する被伝達面４５３を有している。このため、図１５に示すように、Ｘ軸方向の一方側（図１５に示す例では第一挿入部２３Ａ側）への加速度（即ち、他方側（図１５における第二挿入部２４Ａ側）へのマイナスの加速度）が生じたときに、一対の挿入部２２Ａのうちの一方の挿入部２２Ａ（図１５に示す例では第一挿入部２３Ａ）の内側面（伝達面）２２１Ａと該挿入部２２Ａと対応する被挿入部４５（図１５に示す例では第一被挿入部４５Ａ）の被伝達面４５３とが当接する（又は当接している）。これにより、該挿入部２２Ａと該被挿入部４５との接触面積が十分に確保され、その結果、被挿入部４５を有する内部スペーサ２Ａより加速度方向側に配置された蓄電素子１０によって生じる力（例えば、慣性力）を、インシュレータ４により確実に受けさせることができる。また、Ｘ軸方向の他方側（図１５に示す例では第二挿入部２４Ａ側）への加速度が生じたときも、同様に、被挿入部４５を有する内部スペーサ２Ａより加速度方向側に配置された蓄電素子１０によって生じる力（例えば、慣性力）を、インシュレータ４により確実に受けさせることができる。
【００８３】
本実施形態の蓄電装置１では、インシュレータ４が、金属製のフレーム３１と係合している。これにより、インシュレータ４が受けた力（具体的には、蓄電装置１にＸ軸方向の加速度が生じたときに被挿入部４５を有する内部スペーサ２Ａより加速度方向側に配置された蓄電素子１０によって生じる力（例えば、慣性力））を、該インシュレータ４が係合している金属製のフレーム３１に受けさせることができる。その結果、前記力が蓄電装置１におけるＸ軸方向の端部に配置された蓄電素子１０に加わることをより確実に抑えることができる。
【００８４】
また、本実施形態の蓄電装置１では、被挿入部４５（内周面４５２）が、Ｚ軸方向において、該被挿入部４５に入り込んだ挿入部２２Ａと対向している。このため、Ｚ軸方向が垂直方向に沿う姿勢で蓄電装置１が配置されたときに、Ｘ軸方向に並ぶ複数の蓄電素子１０のうちの途中位置に配置され、且つ挿入部２２Ａを有する内部スペーサ２Ａと隣り合う蓄電素子１０が、インシュレータ４を介して金属製のフレーム３１によって支持される。これにより、終端部材３０によって挟まれた蓄電素子１０の列（Ｘ軸方向に並ぶ複数の蓄電素子１０）の途中位置の下方への垂れを抑えることができる。
【００８５】
尚、本発明の蓄電装置は、上記実施形態に限定されるものではなく、本発明の要旨を逸脱しない範囲内において種々変更を加え得ることは勿論である。例えば、ある実施形態の構成に他の実施形態の構成を追加することができ、また、ある実施形態の構成の一部を他の実施形態の構成に置き換えることができる。さらに、ある実施形態の構成の一部を削除することができる。
【００８６】
上記実施形態の蓄電装置１では、内部スペーサ２Ａが挿入部２２Ａを有し、インシュレータ４が被挿入部４５を有しているが、この構成に限定されない。例えば、内部スペーサ２Ａが被挿入部４５を有し、インシュレータ４が挿入部２２Ａを有していてもよい。
【００８７】
また、上記実施形態の蓄電装置１では、一対の挿入部２２Ａが内部スペーサ２Ａに設けられ、該一対の挿入部２２Ａに対応する一対の被挿入部４５がインシュレータ４に設けられているが、この構成に限定されない。一対の挿入部２２Ａのうちの一方の挿入部２２Ａが内部スペーサ２Ａに設けられ、他方の挿入部２２Ａがインシュレータ４における前記一方の挿入部２２ＡとＸ軸方向に異なる位置に設けられてもよい。即ち、内部スペーサ２ＡにおいてＸ軸方向の異なる位置に挿入部２２Ａと被挿入部４５とが設けられ、インシュレータ４に内部スペーサ２Ａの挿入部２２Ａが入り込む被挿入部４５と、内部スペーサ２Ａの被挿入部４５に入り込む挿入部２２Ａとが設けられてもよい。
【００８８】
また、上記実施形態の蓄電装置１では、一対の挿入部２２Ａと、この一対の挿入部２２Ａに対応する一対の被挿入部４５によって、蓄電装置１にＸ軸方向の加速度が生じたときに、挿入部２２Ａを有する内部スペーサ２Ａより加速度方向側に配置された蓄電素子１０によって生じる力（例えば、慣性力）を、インシュレータ４に受けさせているが、この構成に限定されない。
【００８９】
例えば、蓄電装置１は、図１６に示すように、挿入部２２Ａが単一の凸部であり、且つ、被挿入部４５が、前記凸部を挿入される構成であってもよい。この場合、挿入部２２Ａは、基端部のＸ軸方向における両面が伝達面２２１Ａを含み、挿入部２２Ａの先端部のＸ軸方向における両面が、伝達面２２１Ａとそれぞれ連続し、且つ、該挿入部２２Ａの基端側から先端に向かうにつれて互いに近づく外側面２２０Ａであってもよい。かかる構成によれば、該蓄電装置１の組み立て時等において挿入部２２Ａと被挿入部４５とのＸ軸方向における相対位置が設計値等の予定されていた相対位置よりずれていても、挿入部（凸部）２２Ａの先端が被挿入部４５（開放部４５０）に入れば、内部スペーサ２Ａとインシュレータ４とをＹ軸方向に接近させることで、挿入部（凸部）２２Ａの両面（詳しくは、両外側面）２２０Ａによって挿入部（凸部）２２Ａが被挿入部４５（開放部４５０）内へ案内される。このように、上記構成によれば、挿入部２２Ａの先端形状（両面２２０Ａ）によって、蓄電装置１の組み立て時に挿入部２２Ａと被挿入部４５とのＸ軸方向における相対位置のずれを修正して組み立て効率の向上を図りつつ、両面２２０Ａに連続する伝達面２２１Ａと、被挿入部４５の被伝達面４５３とによって、蓄電装置１にＸ軸方向の加速度が生じたときに挿入部２２Ａ又は被挿入部４５（上記実施形態の例では被挿入部４５）を有する内部スペーサ２Ａより加速度方向側に配置された蓄電素子１０によって生じる力をインシュレータ４に受けさせる接触面積を確保することができる。
【００９０】
また、蓄電装置１では、図１７に示すように、挿入部２２Ａが、Ｘ軸方向に並び且つ共通の被挿入部４５に入り込む二つの凸部２５Ａを有し、二つの凸部２５ＡのＸ軸方向において互いに離れる向きを向く外側面のそれぞれが、伝達面２２１Ａを含む構成であってもよい。かかる構成によっても、蓄電装置１にＸ軸方向の加速度が生じたときに、被挿入部４５と、該被挿入部４５に入り込んでいる挿入部２２Ａ（詳しくは、二つの凸部２５Ａのいずれか一方）とがＸ軸方向において当接する（又は当接している）ことで、被挿入部４５を有する内部スペーサ２Ａより加速度方向側に配置された蓄電素子１０によって生じる力（例えば、慣性力）を、インシュレータ４に受けさせることができる。
【００９１】
この場合、二つの凸部２５Ａのそれぞれが基端部に伝達面２２１Ａを有し、二つの凸部２５Ａの先端部のＸ軸方向において互いに離れる向きを向く外側面２２０Ａが、伝達面２２１Ａとそれぞれ連続し且つ該凸部２５Ａの基端側から先端に向かうにつれて互いに近づいている構成が好ましい。かかる構成によれば、該蓄電装置１の組み立て時等において挿入部２２Ａと被挿入部４５とのＸ軸方向における相対位置が予定されていた相対位置よりずれていても、各凸部２５Ａの先端が被挿入部４５（開放部４５０）に入れば、内部スペーサ２Ａとインシュレータ４とをＹ軸方向に接近させることで、何れか一方の凸部２５Ａの外側面２２０Ａによって挿入部２２Ａ（二つの凸部２５Ａ）が被挿入部４５（開放部４５０）内へ案内される。このように、上記構成によれば、挿入部２２Ａの先端形状（二つの凸部２５Ａの各外側面２２０Ａ）によって、蓄電装置１の組み立て時に挿入部２２Ａと被挿入部４５とのＸ軸方向における相対位置のずれを修正して組み立て効率の向上を図りつつ、前記両面２２０Ａに連続する伝達面２２１Ａと、被挿入部４５の被伝達面４５３とによって、蓄電装置１にＸ軸方向の加速度が生じたときに被挿入部４５を有する内部スペーサ２Ａより加速度方向側に配置された蓄電素子１０によって生じる力をインシュレータ４に受けさせる接触面積を確保することができる。
【００９２】
上記実施形態の蓄電装置１では、内部スペーサ２Ａの第一規制部２１１Ａ及び第二規制部２１２Ａと、インシュレータ４の第一絶縁部４１とに、挿入部２２Ａと被挿入部４５とが設けられているが、この構成に限定されない。例えば、内部スペーサ２Ａの第三規制部２１３Ａと、インシュレータ４の第二絶縁部４２とに、挿入部２２Ａと被挿入部４５とが設けられてもよい。
【００９３】
上記実施形態の蓄電装置１では、挿入部２２Ａ（凸部２５Ａ）がＹ軸方向に突出し、且つ開放部４５０がＹ軸方向に突出する挿入部２２Ａ（凸部２５Ａ）の入り込む方向に開放しているが、この構成に限定されない。例えば、挿入部２２Ａ（凸部２５Ａ）がＺ軸方向に突出し、且つ開放部４５０がＺ軸方向に突出する挿入部２２Ａ（凸部２５Ａ）の入り込む方向に開放していてもよい。
【００９４】
上記実施形態の蓄電装置１では、挿入部２２Ａは、Ｙ軸方向に対して傾斜する外側面２２０Ａを有しているが、該外側面２２０Ａのない構成でもよい。即ち、挿入部２２Ａは、柱状であってもよい。
【００９５】
被挿入部４５の具体的形状は、限定されない。例えば、上記実施形態の被挿入部４５は、インシュレータ４に設けられた凹部であるが、貫通孔であってもよい。また、上記実施形態の被挿入部４５の内周面４５２は、長円形状の筒状（周方向に閉じた）の面であるが、図１８に示すように、周方向の一部が開放されていてもよい。即ち、被挿入部４５は、Ｘ軸方向における内寸Ｓ２が挿入部２２Ａの外寸Ｓ１より大きく、且つ被伝達面４５３を含む構成であればよい。
【００９６】
上記実施形態の蓄電装置１では、インシュレータ４は、保持部材３を介して、取り付けの対象機器等に固定されるが、この構成に限定されない。インシュレータ４が取り付け対象機器等に直接固定されてもよい。
【符号の説明】
【００９７】
１…蓄電装置、１０…蓄電素子、１１…電極体、１２…ケース、１２０…ケース本体、１２１…蓋板、１２３…閉塞部、１２４…胴部、１２５…第一壁、１２６…第二壁、１３…外部端子、１４…集電体、１５…絶縁部材、２Ａ…内部スペーサ、２０Ａ…ベース、２００Ａ…第一当接部、２０１Ａ…第二当接部、２０２Ａ…連接部、２１Ａ…規制部、２１１Ａ…第一規制部、２１１１Ａ…第一部位、２１１２Ａ…第二部位、２１２Ａ…第二規制部、２１２１Ａ…第一部位、２１２２Ａ…第二部位、２１３Ａ…第三規制部、２２Ａ…挿入部、２２０Ａ…外側面、２２１Ａ…内側面（伝達面）、２３Ａ…第一挿入部、２４Ａ…第二挿入部、２５Ａ…凸部、２Ｂ…外部スペーサ、２０Ｂ…ベース、２０１Ｂ…第二突出部、２１Ｂ…規制部、２１１Ｂ…第一規制部、２１２Ｂ…第二規制部、２１３Ｂ…第三規制部、２４Ｂ…第一突出部、３…保持部材、３０…終端部材、３００…圧接部、３１…フレーム、３１０…第一接続部、３１１…第二接続部、３１２…支持部、３１３…補強部、４…インシュレータ、４１…第一絶縁部、４２…第二絶縁部、４３…第三絶縁部、４４…第四絶縁部、４５…被挿入部、４５Ａ…第一被挿入部、４５Ｂ…第二被挿入部、４５０…開放部、４５１…内面、４５２…内周面、４５３…被伝達面、５…バスバ、Ｓ１…挿入部の外寸、Ｓ２…被挿入部の内寸（開放寸法）
【図１】
0006590243.tif 000002
【図２】
0006590243.tif 000003
【図３】
0006590243.tif 000004
【図４】
0006590243.tif 000005
【図５】
0006590243.tif 000006
【図６】
0006590243.tif 000007
【図７】
0006590243.tif 000008
【図８】
0006590243.tif 000009
【図９】
0006590243.tif 000010
【図１０】
0006590243.tif 000011
【図１１】
0006590243.tif 000012
【図１２】
0006590243.tif 000013
【図１３】
0006590243.tif 000014
【図１４】
0006590243.tif 000015
【図１５】
0006590243.tif 000016
【図１６】
0006590243.tif 000017
【図１７】
0006590243.tif 000018
【図１８】
0006590243.tif 000019